(57)【要約】      （修正有）【課題】分解、修理がし易く、長寿命、汚染無し、高発光効率、ちらつき無し、良好な配光効果等の特長を有するＬＥＤ照明器具を提供する。【解決手段】ランプハウジングと、ＬＥＤモジュール５と、電源部品６とを有し、ランプハウジングがライトボックス１１と取付台１２とを有し、ライトボックスと取付台は取り外し可能に接続でき、下端に開口部を有する空洞を形成し、ＬＥＤモジュールと電源部品が空洞中に設置され、更にライトボックスを取付台に吊るすためのハンガー（フック４１、吊りリング４２、４４、吊りロープ４３）を有する。【選択図】図２
0003213005.tif 000002
【実用新案登録請求の範囲】
【請求項１】
ランプハウジングと、ＬＥＤモジュールと、電源部品とを有し、前記ランプハウジングがライトボックスと取付台とを有し、
前記ライトボックスと前記取付台は取り外し可能に接続でき、下端に開口部を有する空洞を形成し、前記ＬＥＤモジュールと前記電源部品が前記空洞中に設置され、
更に前記ライトボックスを前記取付台に吊るすためのハンガーを有する、
ことを特徴とするＬＥＤ照明器具。
【請求項２】
前記ハンガーは吊りリングと、吊りロープと、フックとを有し、
前記吊りロープの第一端が前記ライトボックスと前記取付台の内の一つに固定され、前記フックが前記ライトボックスと前記取付台の内の別の一つに設置され、前記吊りロープの第二端が前記吊りリングに接続され、かつ前記吊りリングを介して前記フックに掛けられる、
ことを特徴とする請求項１に記載のＬＥＤ照明器具。
【請求項３】
前記吊りロープの第一端に別の吊りリングが接続され、
前記別の吊りリングが第一リベットを介して前記ライトボックスと前記取付台の内の一つに固定的に接続されることで、
前記吊りロープの第一端が前記ライトボックスと前記取付台の内の一つに固定される、
ことを特徴とする請求項２に記載のＬＥＤ照明装置。
【請求項４】
前記ライトボックスと前記取付台の内の一つにストッパー部が設置され、別の一つにストッパーピンが設置され、
前記ライトボックスと前記取付台が前記ストッパーピンと前記ストッパー部の係合を介して接続され位置決めされる、
ことを特徴とする請求項１乃至請求項３のいずれか一項に記載のＬＥＤ照明器具。
【請求項５】
前記ストッパー部が前記ライトボックスまたは前記取付台に設置されるフック部である、
ことを特徴とする請求項４に記載のＬＥＤ照明器具。
【請求項６】
前記ストッパー部が前記取付台に設置され、前記ストッパーピンが前記ライトボックスに設置され、
前記取付台の辺縁が下向きに筐体固定部として延出し、
前記筐体固定部に開口部とフック部を形成し、前記フック部が前記開口部の一端と接続される、
ことを特徴とする請求項４に記載のＬＥＤ照明器具。 
【請求項７】
前記取付台の二つの向かい合う辺縁がそれぞれ下向きに筐体固定部として延出し、二つの筐体固定部に等しく前記ストッパー部が設置され、
前記ライトボックスのストッパーピンの数と位置の配置が前記ストッパー部に対応する、
ことを特徴とする請求項６に記載のＬＥＤ照明器具。
【請求項８】
前記フック部は前記開口部の一端から他端に向けて設置され、
前記フック部の自由端に前記開口部の内側に向かうストッパーピンの径方向の移動を制限するための突起部が設置される、
ことを特徴とする請求項６に記載のＬＥＤ照明器具。
【請求項９】
位置決めされた前記ライトボックスと前記取付台の間が第二リベットを介して接続され固定される、
ことを特徴とする請求項１乃至請求項３のいずれか一項に記載のＬＥＤ照明器具。
【請求項１０】
前記ライトボックスの側壁に一つ以上の通気孔が開設される、
ことを特徴とする請求項１乃至請求項３のいずれか一項に記載のＬＥＤ照明器具。
【請求項１１】
前記ＬＥＤモジュールは光源部品と、レンズ部品と、台座とを有し、前記台座と前記レンズ部品が接続されて密閉空間を形成し、前記光源部品が前記密閉空間の内部に位置する、
ことを特徴とする請求項１乃至請求項３のいずれか一項に記載のＬＥＤ照明器具。
【請求項１２】
前記台座が一体成型された光源支持部と放熱器とを有し、
前記放熱器が前記光源支持部の一側から延出する一つ以上の片状突起或いは円弧状突起を有し、
前記光源支持部の一側の面は前記光源部品の側の面の逆側の面である、
ことを特徴とする請求項１１に記載のＬＥＤ照明器具。
【請求項１３】
前記台座は、更に、前記台座において向かい合う両端に配置される、片状突起又は円弧状突起から延出する一つ以上のモジュール取付部を有する、
ことを特徴とする請求項１２に記載のＬＥＤ照明器具。
【請求項１４】
前記光源部品がＰＣＢ板と、前記ＰＣＢ板に設置される単独で気密封止された一つ以上の発光ダイオード素子を有する、
ことを特徴とする請求項１１に記載のＬＥＤ照明器具。
【請求項１５】
前記レンズ部品がレンズ支持部と、締結部と、発光ダイオード素子と一対一で対応するレンズ部とを有し、
前記レンズ部が前記レンズ支持部に設置され、対応する発光ダイオード素子の配光のために用いられ、
前記締結部が前記レンズ支持部に設置され、前記レンズ部品と前記台座の接続のために用いられる、
ことを特徴とする請求項１１に記載のＬＥＤ照明器具。
【請求項１６】
前記レンズ部品が更に座金を有し、前記座金が前記レンズ支持部に設置され、前記レンズ支持部と前記台座の間に位置し、
もしくは、前記レンズ部品が更に座金とシール材とを有し、前記座金が前記レンズ支持部に設置され、前記レンズ支持部と前記台座の間に位置し、前記シール材が座金の内側又は外側に設置される、
ことを特徴とする請求項１５に記載のＬＥＤ照明器具。
【請求項１７】
前記ライトボックスの向かい合う第一対側壁に前記ＬＥＤモジュールを接続固定するための第一固定部が設置され、
向かい合う第二対側壁に前記電源部品を接続固定するための第二固定部が設置される、
ことを特徴とする請求項１乃至請求項３のいずれか一項に記載のＬＥＤ照明器具。
【請求項１８】
前記第一固定部と第二固定部がそれぞれ前記第一対側壁、前記第二対側壁において、その下端が前記ライトボックス内側に向かって折り曲げられる折り曲げ部であって、前記折り曲げ部と前記ライトボックスの下端の端面が平坦である、
ことを特徴とする請求項１７に記載のＬＥＤ照明器具。
【請求項１９】
前記ライトボックス内に更にＬＥＤモジュールを前記第一固定部の間に取り付ける場合の取り付け高さを調節するための、高さ調節バーと接続部品とを有する、高さ調節部品が設置され、
前記高さ調節バーがＬＥＤモジュールと前記第一固定部の間に設置され、
前記接続部品が前記ＬＥＤモジュールと、前記高さ調節バーと、前記第一固定部とを接続して固定する、
ことを特徴とする請求項１８に記載のＬＥＤ照明器具。
【請求項２０】
前記接続部品が一つ以上のネジポストと、それに対応する数のネジを有し、
前記ネジポストが前記第一固定部に固定的に設置され、
前記ネジポストが雌ネジを備えた円管であって、前記ネジと前記ネジポストが係合接続され、
前記高さ調節バーに前記ネジポストと一対一で対応する貫通孔が設置され、
前記ネジが前記ＬＥＤモジュールのモジュール取付部、高さ調節バーを貫通して前記ネジポスト内に対してネジ止めされる、
ことを特徴とする請求項１９に記載のＬＥＤ照明器具。
【請求項２１】
前記高さ調節バーが片状のバー又は横断面がＵ字形を呈するバーである、
ことを特徴とする請求項１９に記載のＬＥＤ照明器具。
【請求項２２】
前記電源部品が電源取付ホルダーに固定され、
前記電源取付ホルダーの両端が前記第二固定部に接続され、
前記電源部品の前記第二固定部への接続と固定を実現する、
ことを特徴とする請求項１８に記載のＬＥＤ照明器具。
【考案の詳細な説明】
【技術分野】
【０００１】
本考案は照明分野、特にＬＥＤ（Ｌｉｇｈｔ  Ｅｍｉｔｔｉｎｇ  Ｄｉｏｄｅ、発光ダイオード）照明器具に関わるものである。
【背景技術】
【０００２】
発光ダイオードは、電気エネルギーを光エネルギーに転換する半導体素子であって、白熱灯のタングステン発光や省エネランプの三波長発光原理とは異なる、電界発光を採用するものである。ＬＥＤ照明器具は省エネ、長寿命、良好な適用性、短い応答時間、環境保護、鮮やかな色彩、純粋な発色等の特長を有し、照明器具産業の発展の指針となっている。
【０００３】
従来の照明器具は、通常、壁面や天井に取り付けられ、照明器具内部の発光部品は、通常、蛍光灯であって、寿命がやや短く、頻繁に交換する必要があり、一定の環境汚染を生じさせ、発光効率が高いとは言えず、ちらつきが認められる等の欠点が有った。また、内部の発光部品が破損した場合は、ランプハウジングを開けて取り外す必要が有った。しかしながら、照明器具の取付台は壁面や天井に固定されており、取り外し作業では片手でランプハウジングを支えながら、片手で取り外しを行わなければならず、操作が困難で、操作ミスや事故を引き起こし易い。更に内部のランプ本体が破損した場合、照明器具全体のメンテナンスや交換を行う必要があり、コストも高い。
【考案の概要】
【０００４】
本考案が解決しようとする技術的課題は、分解、修理がし易く、長寿命、汚染無し、高発光効率、ちらつき無し、良好な配光効果等の特長を有するＬＥＤ照明器具を提供することである。
【０００５】
上述の課題を解決するため、本考案は、ランプハウジングと、ＬＥＤモジュールと、電源部品とを有し、前記ランプハウジングはライトボックスと取付台とを有し、前記ライトボックスと取付台は取り外し可能に接続でき、下端に開口部を有する空洞を形成し、前記ＬＥＤモジュールと電源部品が前記空洞中に設置され、更に前記ライトボックスを前記取付台に吊るすためのハンガーを有する、ＬＥＤ照明器具を提供する。
【０００６】
本考案の一つの実施例によれば、前記ハンガーが吊りリングと、吊りロープと、フックとを有する。前記吊りロープの第一端が前記ライトボックスと取付台の内の一つに固定され、前記フックが前記ライトボックスと取付台の内の別の一つに設置され、前記吊りロープの第二端が前記吊りリングに接続され、かつ前記吊りリングを介して前記フックに掛けられる。
【０００７】
本考案の一つの実施例によれば、前記吊りロープの第一端に別の吊りリングが接続され、前記別の吊りリングが第一リベットを介して前記ライトボックスと取付台の内の一つに固定的に接続され、これにより、前記吊りロープの第一端が前記ライトボックスと取付台の内の一つに固定される。
【０００８】
本考案の一つの実施例によれば、前記ライトボックスと取付台の内の一つにストッパー部が設置され、別の一つにストッパーピンが設置され、前記ライトボックスと取付台がストッパーピンとストッパー部の係合を介して接続され位置決めされる。
【０００９】
本考案の一つの実施例によれば、前記ストッパー部が前記ライトボックス或いは取付台に設置されるフック部である。
【００１０】
本考案の一つの実施例によれば、前記ストッパー部が前記取付台に設置され、前記ストッパーピンが前記ライトボックスに設置され、前記取付台の辺縁が下向きに筐体固定部として延出し、前記筐体固定部に開口部とフック部を形成し、前記フック部が前記開口部の一端と接続される。
【００１１】
本考案の一つの実施例によれば、前記取付台の二つの向かい合う辺縁がそれぞれ下向きに筐体固定部として延出し、二つの筐体固定部に等しく前記ストッパー部が設置され、前記ライトボックス上のストッパーピンの数と位置の配置が前記ストッパー部に対応する。
【００１２】
本考案の一つの実施例によれば、前記フック部が前記開口部の一端から他端に向けて設置され、前記フック部の自由端に開口部の内側に向かうストッパーピンの径方向の移動を制限するための突起部が設置される。
【００１３】
本考案の一つの実施例によれば、位置決めされた前記ライトボックスと取付台の間が第二リベットを介して接続され固定される。
【００１４】
本考案の一つの実施例によれば、前記ライトボックスの側壁に一つ以上の通気孔が開設される。
【００１５】
本考案の一つの実施例によれば、前記ＬＥＤモジュールは光源部品と、レンズ部品と、台座とを有し、前記台座と前記レンズ部品が接続されて密閉空間を形成し、前記光源部品が前記密閉空間の内部に位置する。
【００１６】
本考案の一つの実施例によれば、前記台座が一体成型された光源支持部と放熱器とを有し、前記放熱器が前記光源支持部の一側から延出する一つ以上の片状突起或いは円弧状突起を有し、前記光源支持部の一側の面は前記光源部品の側の面の逆側の面である。
【００１７】
本考案の一つの実施例によれば、前記台座は更に前記台座の向かい合う両端の片状突起或いは円弧状突起から延出する一つ以上のモジュール取付部を有する。
【００１８】
本考案の一つの実施例によれば、前記光源部品はＰＣＢ板と、前記ＰＣＢ板に設置される単独で気密封止された一つ以上の発光ダイオード素子とを有する。
【００１９】
本考案の一つの実施例によれば、前記レンズ部品はレンズ支持部と、締結部と、発光ダイオード素子と一対一で対応するレンズ部とを有し、前記レンズ部が前記レンズ支持部に設置され、対応する発光ダイオード素子の配光のために用いられ、前記締結部が前記レンズ支持部に設置され、レンズ部品と台座の接続のために用いられる。
【００２０】
本考案の一つの実施例によれば、前記レンズ部品は更に座金を有し、前記座金が前記レンズ支持部に設置され、レンズ支持部と前記台座の間に位置し、もしくは、前記レンズ部品が更に座金とシール材とを有し、前記座金が前記レンズ支持部に設置され、レンズ支持部と前記台座の間に位置し、前記シール材が座金の内側又は外側に設置される。
【００２１】
本考案の一つの実施例によれば、前記ライトボックスの向かい合う第一対側壁に前記ＬＥＤモジュールを接続固定するための第一固定部が設置され、向かい合う第二対側壁に前記電源部品を接続固定するための第二固定部が設置される。
【００２２】
本考案の一つの実施例によれば、前記第一固定部と第二固定部分がそれぞれ前記第一対側壁、前記第二対側壁の下端がライトボックス内側に向かって折り曲げられる折り曲げ部であって、前記折り曲げ部とライトボックスの下端の端面が平坦である。
【００２３】
本考案の一つの実施例によれば、前記ライトボックス内に更にＬＥＤモジュールを第一固定部の間に取り付ける場合の取り付け高さを調節するための、高さ調節バーと接続部品とを有する、高さ調節部品が設置され、前記高さ調節バーがＬＥＤモジュールと第一固定部の間に設置され、前記接続部品が前記ＬＥＤモジュールと、高さ調節バーと、第一固定部とを接続して固定する。
【００２４】
本考案の一つの実施例によれば、前記接続部品が一つ以上のネジポストと、それに対応する数のネジとを有し、前記ネジポストが第一固定部に固定的に設置され、前記ネジポストが雌ネジを備えた円管であって、前記ネジと前記ネジポストが係合接続され、前記高さ調節バーにネジポストと一対一で対応する貫通孔が設置され、前記ネジが前記ＬＥＤモジュールのモジュール取付部、高さ調節バーを貫通して前記ネジポスト内に対してネジ止めされる。
【００２５】
本考案の一つの実施例によれば、前記高さ調節バーが片状のバー又は横断面がＵ字形を呈するバーである。
【００２６】
本考案の一つの実施例によれば、前記電源部品が電源取付ホルダーに固定され、電源取付ホルダーの両端が前記第二固定部に接続され、電源部品の第二固定部への接続と固定を実現する。
【００２７】
上述の技術的解決手段を採用したことによって、本考案は、従来の技術に比べ、以下の有益な効果を有する。
ＬＥＤ光源を従来の蛍光灯等に代替して採用したことによって、従来の蛍光灯に比べ、長寿命、汚染無し、高発光効率、ちらつき無し、良好な配光効果等の特長を有する。
【００２８】
ストッパー部とストッパーピンを設置することによって、ライトボックスを取付台に固定する場合は、ライトボックスを予め取付台に設置し、照明器具の取り付けに役立てることができる。同様に照明器具のメンテナンス時においても、作業者のメンテナンスに役立てることができる。ライトボックスを取付台に取り付ける場合は、位置決めの効果を発揮し、ネジによる固定的な接続に役立つ。
【００２９】
ハンガーを採用してライトボックスと取付台を接続することによって、ライトボックスを取り外す場合に、ライトボックスを取付台に吊るしておくことができ、照明器具の取り付け及びメンテナンスに役立つ。
【００３０】
光源モジュールと電源モジュールは間隔を空けて設置し、ライトボックスには一定の放熱性能を有する材質を採用し、かつライトボックスの側壁に通気孔を設置し、ＬＥＤ光源と電源が動作する時の熱を迅速に外部空気中に移動させ、良好な放熱性能を具備させる。
【００３１】
全てのＬＥＤモジュールは等しく超高度な保護等級を有することで、ガソリンスタンドのライトとすることができる 。また各ＬＥＤモジュールは独立して動作し、かつ取り付け方式は相互に独立したものであり、これにより、いずれかのＬＥＤモジュールに故障が発生しても、単一のモジュールを交換することで照明器具全体のメンテナンスを実現できる。
【００３２】
また、同一又は異なる配光方式のＬＥＤモジュールを自由に組み合わせることによって、異なる配光効果を実現することができる。
【００３３】
さらに、モジュールの数量の設定とその他効率のモジュールへの交換によって照明器具の効率を変更することができる。
【図面の簡単な説明】
【００３４】
【図１】本考案の実施例の一つにおけるＬＥＤ照明器具の構造概要図である。
【図２】本考案の実施例の一つにおけるＬＥＤ照明器具の分解構造概要図である。
【図３】本考案の実施例の一つにおけるＬＥＤ照明器具のランプハウジングを倒置した後の構造概要図である。
【図４】本考案の実施例の一つにおけるＬＥＤ照明器具の取付台の構造概要図である。
【図５】本考案の実施例の一つにおけるＬＥＤ照明器具のＬＥＤモジュールの構造概要図である。
【考案を実施するための形態】
【００３５】
本考案の上述の目的、特徴及び優位性を更に分かり易くするため、以下、図面を参照して本考案の具体的な実施形態について詳細に説明する。
【００３６】
以下の説明において、本考案を充分に理解できるよう、多くの具体的かつ詳細な記述を行う。但し、本考案はここで説明する形態以外の数多くの形態で実施することができ、本分野の技術者ならば本考案の内容を逸脱しない状況下においてこれを類推できることから、本考案は以下に公開する具体的な実施例による制限を受けない。
【００３７】
図１−４を参照するに、本実施例のＬＥＤ照明器具は、ランプハウジング１と、ＬＥＤモジュール５と、電源部品６とを有する。ランプハウジング１はライトボックス１１と取付台１２とを有し、ライトボックス１１と取付台１２は取り外し可能に接続でき、下端に開口部を有する空洞を形成する。取付台１２には取り付けのための構造を設置することができ、これにより、天井もしくは壁紙に取り付けて固定することができる。
【００３８】
ＬＥＤモジュール５と電源部品６は空洞中に設置され、ＬＥＤモジュール５の光出射面は空洞の開口部の方向を向き、これにより、当該開口部から光が出射する。開口部のサイズはＬＥＤモジュール５の光出射面のサイズと同等であることが望ましく、電源部品６は導線を介してＬＥＤモジュール５と電気的接続され、ＬＥＤモジュール５に電力供給する。
【００３９】
ＬＥＤモジュール５は、単独で気密封止され、ＬＥＤモジュール５に供給される電力は照明に使用でき、かつ一定の使用性能を備え、モジュール化されたＬＥＤ光源である。従来の蛍光灯に比べ、長寿命、汚染無し、高発光効率、ちらつき無し、良好な配光効果等の特長を有する。電源部品６は駆動電源、制御装置、調光スイッチ、避雷器等を有することができる。好ましくは、電源部品６は駆動電源のみを有し、かつ当該駆動電源が内蔵型避雷装置を有する。
【００４０】
図２を参照するに、ＬＥＤ照明器具は更にライトボックス１１を取付台１２に吊るすためのハンガーを有する。ハンガーを用いてライトボックス１１と取付台１２とを接続することによって、ライトボックス１１を取り外す時、ライトボックス１１を取付台１２に吊るしておくことができ、照明器具の取り付けとメンテナンスに役立つ。
【００４１】
ハンガーは、吊りリング４２と、吊りロープ４３と、フック４１とを有することができる。吊りロープ４３の第一端がライトボックス１１と取付台１２の内の一つに固定され、フック４１がライトボックス１１と取付台１２の別の一つに設置され、吊りロープ４３の第二端が吊りリング４２に接続され、かつ当該吊りリング４２を介してフック４１に掛けられる。あるいは、吊りロープ４３の第一端がライトボックス１１に固定され、取付台１２の対応する位置にフック４１が設置され、使用中、吊りロープ４３の第二端の吊りリング４２がフック４１に掛けられ、ライトボックス１１が取付台１２に吊るされる。
【００４２】
あるいは、吊りロープ４３の第一端を他端の吊りリング４４に吊るし、当該他端の吊りリング４４は第一リベット３を介してライトボックス１１と取付台１２の内の一つに固定的に接続され、これにより、吊りロープ４３の第一端がライトボックス１１と取付台１２の内の一つに固定される。フック４１の固定方式は以下の通りである。リベットネジをリベット締めの方式を介してランプハウジングに固定し、フック４１を更にリベットネジと固定的に接続することによって、フック４１をライトボックス１１に固定する。
【００４３】
吊りリング４２、４４は具体的には環状片とすることができ、吊りロープ４３と固定的に接続される。吊りロープ４３の第一端の吊りリング４４はリベットネジと固定ネジを介して吊りリング４４をライトボックス１１に固定させる。リベットネジはライトボックス１１に固定され、吊りリング４４は固定ネジとリベットネジの間に位置する。
【００４４】
ライトボックス１１の側壁に一つ以上の通気孔を開設する。ライトボックス１１には一定の放熱性能を有する材質を採用し、かつライトボックス１１の側壁に通気孔を設置し、ＬＥＤモジュール５と電源部品６が動作する時の熱を迅速に外部空気中に移動させ、良好な放熱性能を具備させる。
【００４５】
実施例の一つにおいて、引き続き図１−４を参照するに、ライトボックス１１と取付台１２の内の一つにストッパー部２１が、別の一つにストッパーピン２２がそれぞれ設置され、ライトボックス１１と取付台１２はストッパーピン２２とストッパー部２１の係合接続を介して位置決めされる。言い換えれば、ライトボックスにストッパー部が設置される場合は、取付台にストッパーピンが設置され、もしくは、ライトボックスにストッパーピンが設置される場合は、取付台にストッパー部が設置される。ストッパーピン２２がストッパー部２１に係合接続された後、ライトボックス１１と取付台１２の間は安定的に位置決めされる。なお、ストッパー部２１とストッパーピン２２の数、位置及び構造に制限を設けない。
【００４６】
あるいは、ストッパー部２１がライトボックス１１又は取付台１２のフック部に設置され、ストッパーピン２２がフック部にスライド挿入された後、ライトボックス１１又は取付台１２が位置決めされる。位置決め後のライトボックス１１又は取付台１２の間に一定の移動可能な空間的余裕が有ってもよいことは言うまでもない。
【００４７】
実施例の一つにおいて、ストッパー部２１が取付台１２に設置され、ストッパーピン２２がライトボックス１１に設置され、両者の位置が対応する。取付台１２の辺縁が下向きに延出し、ライトボックス１１の筐体固定部１２２の位置決めと接続のために用いられる。筐体固定部１２２に開口部２１１とフック部２１２が形成され、開口部２１１は筐体固定部１２２的辺縁部に設置され、フック部２１２は開口部２１１の一端に接続され、ストッパーピン２２は開口部２１１とフック部２１２に残されたスリットからスライド挿入され、フック部２１２によって位置決めされる。
【００４８】
あるいは、取付台１２の二つの向かい合う辺縁がそれぞれ下向きに筐体固定部１２２に延出し、言い換えれば、取付台１２が一体成型された取り付けパネル１２１と筐体固定部１２２とを有し、筐体固定部１２２は取り付けパネル１２１の向かい合う両端から下向きに延出して構成される。二つの筐体固定部１２２には等しくストッパー部２１が設置され、例えば、二つの筐体固定部１２２に等しく二つのストッパー部２２ が設置され、位置決めを更に安定的なものとする。ライトボックス１１にあるストッパーピン２２の数と位置の配置はストッパー部２２に対応する。
【００４９】
フック部２１２は開口部２１１の一端から他端に向けて設置することができ、フック部２１２の延出方向は開口部２１１の端面と平行とすることができる。フック部２１２の自由端には更に、ストッパーピン２２の径方向の移動を制限するために、開口部２１１の内側に向けて突起部を設置することができる。またストッパー部がほぼ横向きのＧ型を呈するようにすることができる。
【００５０】
ストッパーピン２２はライトボックス１１に固定されるリベットボルトとすることができる。
ストッパー部２１とストッパーピン２２を設置することでライトボックス１１を取付台１２に固定する場合は、ライトボックス１１を予め取付台１２に吊るし、照明器具の取り付けに役立てることができ、同様に照明器具のメンテナンス時においても、作業者のメンテナンスに役立てることができる。ライトボックス１１を取付台１２に取り付ける場合は、位置決めの効果を発揮し、ネジによる固定的な接続に役立つ。
【００５１】
ライトボックス１１と取付台１２がストッパー部２１とストッパーピン２２を介して位置決めされた後、ライトボックス１１と取付台１２の間を更に第二リベット３を介して接続して固定する。具体的には第二リベット３をリベットナットとすることができ、接続方式はライトボックス１１と取付台１２の重なる部分にネジをねじ込み、リベットナットをきつく締める方式とすることができる。
【００５２】
図５を参照するに、実施例の一つにおいて、ＬＥＤモジュール５は光源部品と、レンズ部品５２と、台座５３とを有することができる。台座５３とレンズ部品５２を接続して密閉空間を形成し、光源部品は密閉空間の内部に位置し、光源部品の光出射面はレンズ部品５２の方向を向き、レンズ部品５２を介して光を出射する。ＬＥＤモジュール５がライトボックス１１に取り付けられた後、レンズ部品５２はライトボックス１１の開口部に係合して取り付けられる。
【００５３】
台座５３は、好ましくは一体成型された光源支持部５３１と放熱器５３２とを有する。放熱器５３２は光源支持部５３１の一側から延出する一つ以上の片状突起又は円弧状突起を有し、片状突起又は円弧状突起の間隔は均一な分布とすることができる。更に、光源支持部５３１の一側の面は、光源部品の側の面の逆側の面である。
【００５４】
台座５３は更に台座５３の向かい合う両端の片状突起又は円弧状突起から延出する一つ以上のモジュール取付部５３３を有することができる。ＬＥＤモジュール５は放熱器５３２両端に設置されたモジュール取付部５３３を介してライトボックス１１に取り付けられる。モジュール取付部５３３は光出射面と平行の平面とすることができ、当該平面の辺縁にスリットが設置され、スリットはランプハウジングの接続に使用される。なお平面のスリットはその他の形状であってもよいことは言うまでもない。
【００５５】
光源部品はＰＣＢ（Ｐｒｉｎｔｅｄ  Ｃｉｒｃｕｉｔ  Ｂｏａｒｄ、プリント基板）板５１１とＰＣＢ板５１１に設置される単独で気密封止された一つ以上の発光ダイオード素子５１２を有する。気密封止された発光ダイオード素子５１２は、単独で気密封止されたＬＥＤ電球であっても、集積ＬＥＤ光源であっても、ＬＥＤチップであってもよい。
【００５６】
全てのＬＥＤモジュール５は超高度な保護等級を有することで、ガソリンスタンドのライトとすることができる。また各ＬＥＤモジュールは独立して動作し、かつ取り付け方式は相互に独立したものであり、これにより、いずれかのＬＥＤモジュールに故障が発生しても、単一のモジュールを交換することで照明器具全体のメンテナンスを実現できる。また、同一又は異なる配光方式のＬＥＤモジュールを自由に組み合わせることによって、異なる配光効果を実現することができる。更に、モジュールの数量の設定とその他効率のモジュールへの交換によって、照明器具の使用効率を変更することができる。
【００５７】
光源部品は台座５３の光源支持部５３１の上に設置することができる。
レンズ部品５２はレンズ支持部５２１と、締結部５２２と、発光ダイオード素子５１２と一対一で対応するレンズ部５２３とを有することができる。レンズ部５２３はレンズ支持部５２１に設置され、対応する発光ダイオード素子５１２の配光のために用いられる。締結部５２２はレンズ支持部５２１に設置され、レンズ部品５２を台座５３と接続させるために用いられる。
【００５８】
レンズ部品５２は更に座金５２４を有することができ、座金５２４はレンズ支持部５２１に設置され、レンズ支持部５２１と台座５３の間に位置する。もしくは、レンズ部品５２は更に座金５２４と、シール材と（図中に未表示）を有することができ、座金５２４はレンズ支持部５２１に設置され、レンズ支持部５２１と台座５３の間に位置し、シール材は座金５２４の内側又は外側に設置される。台座５３とレンズ部品５２は密閉された空間を形成し、光源部品は当該密閉された空間内に位置し、具体的にはレンズ支持部５２１、台座５３の間及び座金５２４又はシール材の内側に密閉された空間を形成することができる。
【００５９】
ライトボックス１１の向かい合う第一対側壁にＬＥＤモジュール５を接続して固定するための第一固定部１１３が設置され、向かい合う第二対側壁に電源部品６を接続して固定するための第二固定部１１４が設置される。
【００６０】
第一固定部１１３と第二固定部１１４はそれぞれ第一対側壁、第二対側壁の下端がライトボックス１１の内側に向かって折り曲げられる折り曲げ部であって、折り曲げ部とライトボックス１１の下端の端面は平坦である。
【００６１】
具体的には、ライトボックス１１は二つの向かい合って設置される第一ハウジング１１１と、二つの向かい合って設置される第二ハウジング１１２に囲まれて形成された中空のハウジングとすることができ、かつハウジングの両端が開口しており、上端開口部は取付台１２に接続され封止される。第一ハウジング１１１と第二ハウジング１１２に第一固定部１１３と第二固定部１１４がそれぞれ設置され、第一固定部１１３と第二固定部１１４はライトボックス１１の下端の端面部に位置する。
【００６２】
照明器具の美観、並びに構造のコンパクト性を考慮し、ＬＥＤモジュール５のレンズ部品５２とライトボックス１１の第一固定部１１３と第二固定部１１４の取り付け位置に対して一定の要件が設けられる。ＬＥＤモジュール５とライトボックス１１の第一固定部１１３と第二固定部１１４の間の取り付け高さの調整のために高さ調節部品を採用し、かつライトボックス１１の第一固定部１１３、第二固定部１１４とＬＥＤモジュール５を固定的に接続する。
【００６３】
実施例の一つにおいて、ライトボックス１１内に更にＬＥＤモジュール５を第一固定部１１３の間に取り付けるに際しての取り付け高さを調整するための高さ調節部品が設置される。高さ調節部品は高さ調節バー７と接続部品（図中に未表示）とを有する。高さ調節バー７はＬＥＤモジュール５と第一固定部１１３の間に設置され、接続部品はＬＥＤモジュール５、高さ調節バー７と第一固定部１１３を接続して固定する。
【００６４】
接続部品は一つ以上のネジポストと、それに対応する数のネジとを有し、ネジポストは第一固定部１１３に固定的に設置され、ネジポストは雌ネジを備える円管であって、ネジとネジポストを係合接続する。高さ調節バー７にネジポストと一対一で対応する貫通孔が設置され、ネジはＬＥＤモジュール５のモジュール取付部５３３、高さ調節バー７を貫通してネジポスト内に対してネジ止めされる。
【００６５】
あるいは、高さ調節バー７は片状のバー、又は横断面がＵ字形を呈するバーである。
具体的には、ネジポストが第一固定部１１３に固定的に設置され、ネジポストは雌ネジを備える円管であって、かつ各ネジポストとＬＥＤモジュール５のモジュール取付部５３３の固定孔が一対一で対応する。高さ調節バー７は一つ以上のネジポストに接続され、高さ調節バー７に複数のネジポストと一対一で対応する貫通孔が設置される。ＬＥＤモジュール５と第一固定部１１３を固定的に接続するためのネジは、順次ＬＥＤモジュール５のモジュール取付部５３３の固定孔、高さ調節バー７の貫通孔を通過して、ネジポストに挿入されネジポストの雌ネジと固定的に接続される。一面において、ＬＥＤモジュール５上のモジュール取付部５３３の固定孔がネジポストと固定的に接続され、ＬＥＤモジュール５とライトボックス１１との固定的な接続を実現する。他面において、高さ調節バー７がＬＥＤモジュール２（ここは、ＬＥＤモジュール５ではないですか）とネジポストの間に設置される座金のような効果を発揮し、ＬＥＤモジュール５とネジポストの間の接続をより緊密なものとさせる。モジュール取付部５３３の固定孔がＬＥＤモジュール５の光出射面と平行又は同一平面に設置される場合、高さ調節バー７とＬＥＤモジュール５のモジュール取付部５３３の固定孔は面接触し、ＬＥＤモジュール５とライトボックス１１の間の接続安定性を更に向上させる。
【００６６】
高さ調節バー７は、片状バーであっても、或いはバー平面の長辺辺縁から垂直下向きに延出する、その短辺方向の断面がＵ字形となっていてもよく、言い換えれば、高さ調節バー７は横断面がＵ字形を呈するバーであってもよく、ネジポストの延出部分を高さ調節バー７のＵ字形の内側に位置させることで、ＬＥＤ照明器具の内部を更に整然とさせ美観を保たせることができる。
【００６７】
図２を参照するに、電源部品６は電源取付ホルダー８に固定され、電源取付ホルダー８の両端が第二固定部１１４に接続されることで、電源部品６の第二固定部１１４への接続と固定、ライトボックス１１との接続と固定が実現される。電源取付ホルダー８は倒置された几字形のパネル材であり，几字の内側にＬＥＤモジュール５が収容される。具体的には、第二固定部１１４にリベットネジが固定され、電源取付ホルダー８がネジを介して第二固定部１１４上のリベットネジと固定的に接続される。電源部品６は電源取付ホルダー８上に固定される。
【００６８】
具体的な実施例の一つにおいて、照明器具の取り付け手順は以下の通りである。
ＬＥＤモジュール５をネジと高さ調節バー７を介してライトボックス１１に固定する。電源部品６の取り付けは、電源部品６をライトボックス１１に固定的に設置することである。取付台１２を天井に固定する。ライトボックス１１を取付台１２に固定する。
【００６９】
ライトボックス１１上のストッパーピン２２は、まず取付台１２の開口部２１１からストッパー部１１内にスライド挿入させ、引き続きフック部２１２内にスライド挿入させる。ストッパーピン２２を所定の位置にスライド挿入させたら、更に取付台１２をライトボックス１１と固定的に接続する。
【００７０】
取り付け手順は調整することもでき、例えば、まず取付台１２を天井に取り付け、その後、ＬＥＤモジュール５と電源部品６をライトボックス１１に取り付けてもよい。
【００７１】
また、ライトボックス１１を取付台１２と固定的に接続する前に、まず吊りリング４２とフック４１を相応の部品に取り付け、その後、吊りリング４２をフック４１に掛けてもよい。
【００７２】
本考案では、上述の通り、好適な実施例を公開したが、これら実施例は請求の範囲を何ら制限するものではなく、本分野の技術者は本考案の精神と範囲を逸脱することなく、可能な変更及び修正を行うことができることから、本考案の保護の範囲は本考案の請求の範囲によって画定される範囲に準ずるべきである。
【符号の説明】
【００７３】
１−ランプハウジング、１１−ライトボックス、１１１−第一ハウジング、１１２−第二ハウジング、１１３−第一固定部、１１４−第二固定部、１２−取付台、１２１−取り付けパネル、１２２−筐体固定部、２１−ストッパー部、２１１−開口部、２１２−フック部、２２−ストッパーピン、３−第二リベット、４１−フック、４２−吊りリング、４３−吊りロープ、４４−吊りリング、５−ＬＥＤモジュール、５１１−ＰＣＢ板、５１２−発光ダイオード素子、５２−レンズ部品、５２１−レンズ支持部、５２２−締結部、５２３−レンズ部、５３−台座、５２４−座金、５３１−光源支持部、５３２−放熱器、５３３−モジュール取付部、６−電源部品、７−高さ調節バー、８−電源取付ホルダー。
【図１】
0003213005.tif 000003
【図２】
0003213005.tif 000004
【図３】
0003213005.tif 000005
【図４】
0003213005.tif 000006
【図５】
0003213005.tif 000007